【手続補正書】
【提出日】平成18年12月27日(2006.12.27)
【手続補正１】
【補正対象書類名】明細書
【補正対象項目名】０００８
【補正方法】変更
【補正の内容】
【０００８】
上記加圧ローラ４は、加熱体６との間にフィルム２を挟んで圧接ニップ部（定着ニップ部）Ｎを形成し、且つフィルム２を回転駆動させるフィルム外面接触駆動手段として作用する。このフィルム駆動ローラ兼加圧ローラ４は芯金４ａとシリコンゴム等よりなる弾性体層４ｂと最外層の離形層４ｃよりなり、不図示の軸受け手段・付勢手段により所定の押圧力をもってフィルム２を挟ませて加熱体６の表面に圧接させて配設してある。この加圧ローラ４はモータ（不図示）による回転駆動により、この加圧ローラ４とフィルム２の外面との摩擦力で該フィルムに搬送力を付与する。
【手続補正２】
【補正対象書類名】明細書
【補正対象項目名】００１３
【補正方法】変更
【補正の内容】
【００１３】
【発明が解決しようとする課題】
図２は一般的な従来例としての加熱装置から薄膜フィルムを取り除いた時の上流側（本例において、上流側とは被加熱体が加熱装置に進入してくる側のことをさす。反対側を下流側とする。）の斜視図である。片方の端部は断面図になっている。ステー１の両横には端部キャップ３が装着されている。この端部キャップ３は、フィルム２が長手方向にスライドすることを防止したり、ステー１を加圧体に押し当てるための力の受け皿となるなどの機能を有する。図２に装着されている一般的な従来の端部キャップ３の斜視図を図３に示す。図２の状態にフィルム２を装着した時に同じ方向から見た加熱装置は図４のようになる。図４ではフィルム２と加圧ローラ４で形成される被加熱体（記録材）の進入口の長手方向に沿った広さが一定である。
【手続補正３】
【補正対象書類名】明細書
【補正対象項目名】００１４
【補正方法】変更
【補正の内容】
【００１４】
上記のような構成の装置においては、図５に示したように被加熱体がニップＮに進入する際、該被加熱体の端部が持ち上がった状態となり、フィルム２と未定着画像Ｔがニップ進入前に擦れて画像Ｔが乱れることがあった。更に、この画像Ｔの乱れが極端な場合には濃度の低下として現れる。
【手続補正４】
【補正対象書類名】明細書
【補正対象項目名】００３０
【補正方法】変更
【補正の内容】
【００３０】
上流部においてフィルム２の最も上流方向に突き出ているところの接線ｖとヒーター６面からの延長線ｈとフィルム外周とが囲む面積をＳとする。図６では、加圧ローラ４がフィルム２を挟んで加熱体６と形成する圧接ニップ部Ｎの長手方向の端部におけるフィルム外周を実線で示し、該ニップ長手方向の中央部におけるフィルム外周を点線で示しており、実線で示したフィルム外周と比べて点線で示したフィルム外周が上流側に突き出て、この面積Ｓが狭くなっている。
【手続補正５】
【補正対象書類名】明細書
【補正対象項目名】００３１
【補正方法】変更
【補正の内容】
【００３１】
このように本実施形態では、面積Ｓがニップ長手内側方向に狭くなる部分を形成（図６における実線のフィルム形状から点線のフィルム形状となるように滑らかにつないだ時にできるフィルム形状を形成）するような加熱装置を、フィルムガイドとしてのステー１によるフィルム２の内側からの張り方を工夫することによって実現している。理想的なフィルム形状を有する加熱装置の一例を図１に示した。
【手続補正６】
【補正対象書類名】明細書
【補正対象項目名】００３３
【補正方法】変更
【補正の内容】
【００３３】
（第１の実施例）
第１の実施例として、ステー本体部７の端部に凹み部分７ａを設けた例を図７に示す。図７のような形状のステー１にフィルム２を装着し、該フィルムが回転駆動されているときの形状（フィルム走行形状）を示した図が図８である。尚、このとき形成される凹み部分や、フィルム形状は、被加熱体（記録材）の高さに応じた微細な形状であるので、図では説明の為、誇張して示している。（以下の図でも同様である。）図８に示すように、上流側において、点線で示した従来の一般的なフィルム形状の場合よりも端部の間口が広がるために、先程定義した面積Ｓが長手内側方向に向かって狭くなる領域が現れ、被加熱材Ｐの端部が持ち上がった状態であっても該端部の未定着画像Ｔとフィルム２とが摺擦しない。特に、このフィルム形状であると、上流側のニップ部Ｎ近傍においてフィルム２外周面が、端部の持ち上がった被加熱体Ｐと略同じ形状となるので、該被加熱体Ｐ先端が、フィルム２と接し、ニップ部Ｎ内に導かれて平らにされる際に、フィルム２と被加熱体Ｐとがずれて未定着画像Ｔが乱されることが無い。従って画像の乱れや濃度の低下に対してより効果的なフィルム走行形状を得ることができ、高品質の加熱定着を行うことのできる定着装置が得られる。
【手続補正７】
【補正対象書類名】明細書
【補正対象項目名】００３４
【補正方法】変更
【補正の内容】
【００３４】
（第２の実施例）
第２の実施例として、ステー１の両横に取り付ける端部キャップ３の形状を利用してステー１端部に突状部３ａを持たせる構成を示す。図３のような上流側と下流側のフィルム摺動面が対称の端部キャップではなく、図９に示すように、従来の端部キャップに比べて下流側に突状部３ａを持った形状の端部キャップ３を図２のステー本体部７に装着する。その時の加熱装置からフィルム２を取り除いた時の図が図１０、図１１である。
1167203670031_0
は上流側から、
1167203670031_1
は下流側からみた斜視図である。更に、図１０、図１１の状態にフィルム２を装着させた時の加熱装置を示したものが図１２、図１３である。図１２の点線部分は、図４に示した従来の一般的な加熱装置の上流側のフィルム形状を示す。
【手続補正８】
【補正対象書類名】明細書
【補正対象項目名】００３５
【補正方法】変更
【補正の内容】
【００３５】
本実施例では、フィルム２が下流側の端部キャップ３の突状部３ａに張られて上流側端部で間口が広がり、フィルム２の上流側全体を見ると、フィルム２と加圧ローラ４で形成される開口部の開き具合を示す面積Ｓが長手内側方向に小さくなる部分が端部に存在するようになった。又、これと同時にさらに実施例１に示したようなステー本体部７の上流側端部に凹み部分７ａを設けると本発明の効果は非常に大きくなる。
【手続補正９】
【補正対象書類名】明細書
【補正対象項目名】００３６
【補正方法】変更
【補正の内容】
【００３６】
（第３の実施例）
第１の実施例に加えてステー１中央部にも凹み部分を設け、更に第２の実施例で示したステー１下流側端部の突状部３ａを付け加え、更にフィルム走行形状が上流側中央部でステー１中央部に沿うようにするためにコ字状板金５中央部にも突状部５ａを設けた時の上流側の様子を表わしたものが図１４である。この時の下流側の図は図１５である。ステー１下流側中央部にも突状部５ｂがあり、この突状部５ｂはコ字状板金５上中央部の突状部５ａとともにステー１上流側中央部の凹み部分に沿うようなフィルム形状を形作ることを目的としている。図１４、図１５の構成のステー１にフィルム２を装着した時の図は、それぞれ図１６、図１７である。ステー１中央部でこのような構成をとっても、発明の効果は実施例１と同様の効果が得られる。更に、被加熱体Ｐ加熱時の環境によって生じることがある被加熱体Ｐのシワがでにくくなる。
【手続補正１０】
【補正対象書類名】明細書
【補正対象項目名】００３７
【補正方法】変更
【補正の内容】
【００３７】
（第４の実施例）
第４の実施例として、図１８に示すように、端部キャップ３ではなく、他の部材を下流側ステー本体部７のリブ７ｂとリブ７ｂの間に嵌めて、ステー１と端部キャップ３とこの部材を一体化させて突状部８を形成している。該突状部８により、フィルム２を張ってフィルム２と加圧ローラ４で形成される上流側開口部を広げるようにしている。図１８は下流側の斜視図である。なお、本形態の突状部８は、第２，第３の実施例よりも上方でニップ長手内側に形成している。
【手続補正１１】
【補正対象書類名】明細書
【補正対象項目名】００３８
【補正方法】変更
【補正の内容】
【００３８】
（第５の実施例）
第２，第３の実施例では、端部キャップ３が下流側方向に突状部３ａを持つような形状であったが、このほかにも端部キャップ３の形状を図１９で示すように、突状部３ｂを上流側と下流側の中間、即ちステー１上方部に位置させた形状にする事である程度効果のあるフィルム形状を形成することができる。この場合、実施例４よりも効果は大きい。この時のフィルム２を除いた装置斜視図が図２０である。
【手続補正１２】
【補正対象書類名】明細書
【補正対象項目名】００３９
【補正方法】変更
【補正の内容】
【００３９】
（第６の実施例）
第２，第３の実施例では、端部キャップ３が下流側に突状部３ａを持つような形状であったが、本実施例ではステー１上流側端部に突状部３ｂを形成すべく、図２１で示したような端部キャップ形状にする。これにより、これまでの実施例と同様のフィルム形状を得ることができる。この時のフィルムを除いた加熱装置の斜視図が図２２である。
【手続補正１３】
【補正対象書類名】明細書
【補正対象項目名】００４２
【補正方法】変更
【補正の内容】
【００４２】
（その他の実施例）
第２，第３，第５，第６の実施例では、端部キャップ３に突状部３ａ，３ｂ，３ｃを設けた例を示したが、これに限らず図３のように突状部のない端部キャップ３を用い、ステー本体部７の長手端部の下流側や、上方部、上流側に突状部５ａ，５ｂを設けた場合でも前記実施例と同様のフィルム形状が得られ、未定着画像の乱れや濃度低下を防止することができる。
【手続補正１４】
【補正対象書類名】明細書
【補正対象項目名】００４４
【補正方法】変更
【補正の内容】
【００４４】
なお、突状部を端部キャップ３で形成する装置では、加熱装置組み立て時におけるフィルム２の装着が容易である。
【手続補正１５】
【補正対象書類名】明細書
【補正対象項目名】００４５
【補正方法】変更
【補正の内容】
【００４５】
上記の実施例では、凹部や突状部、ニップ長手内側方向に狭くなる部分等を明確に示す為に、ステー１を角張った形状で示したが、実際にはフィルム２との摺動面を滑らかな曲面で構成するのが良い。例えば、図７の装置であれば図２２のようにステー１の断面形状を略円形とする。
【手続補正１６】
【補正対象書類名】明細書
【補正対象項目名】００４９
【補正方法】変更
【補正の内容】
【００４９】
本例では、ステー本体部７の上流側に凹部７ｂを設けてニップ長手内側方向に開口部が狭くなる部分を形成しており、これにより前記実施例と同様に未定着画像の乱れや濃度低下を防止することができる。
【手続補正１７】
【補正対象書類名】明細書
【補正対象項目名】００５３
【補正方法】変更
【補正の内容】
【００５３】
このレーザービーム走査露光により、回転感光ドラム２１の一様帯電処理面の露光部分は電位絶対値が小さくなって明電位ＶL となり、回転感光ドラム２１面に目的の画像情報に対応した静電潜像が形成されていく。次いでその潜像は現像器２４によりマイナスに帯電した粉体トナーで反転現像（感光ドラム面のレーザー露光明電位ＶL部にトナーが付着）されてトナー画像として顕像化される。
【手続補正１８】
【補正対象書類名】明細書
【補正対象項目名】図面の簡単な説明
【補正方法】変更
【補正の内容】
【図面の簡単な説明】
【図１】理想的なフィルム形状を有する加熱装置の一例の斜視図。
【図２】従来の一般的な加熱装置からフィルムを取った時の斜視図。
【図３】従来の一般的な加熱装置の端部キャップの斜視図。
【図４】従来の一般的な加熱装置の斜視図。
【図５】画像の乱れるようすを示した図。
【図６】面積Ｓを定義するための加熱装置の断面図。
【図７】ステー端部に凹み部分を有する加熱装置からフィルムを取った時の斜視図。
【図８】ステー両端部に凹み部分を有する加熱装置の斜視図。
【図９】下流側に突状部を持つ端部キャップの斜視図。
【図１０】ステー両端部に突状部を有する加熱装置からフィルムをはずした時の上流側の斜視図。
【図１１】ステー両端部に突状部を有する加熱装置からフィルムをはずした時の下流側の斜視図。
【図１２】ステー両端部に突状部を有する加熱装置の上流側の斜視図。
【図１３】ステー両端部に突状部を有する加熱装置の下流側の斜視図。
【図１４】ステーの端部と中央部に凹み部分を有する加熱装置からフィルムを取った時の斜視図。
【図１５】ステーの端部と中央部に突状部を有する加熱装置からフィルムを取った時の斜視図。
【図１６】ステーの端部と中央部に突状部を有する加熱装置の斜視図。
【図１７】ステーの端部と中央部に突状部を有する加熱装置の斜視図。
【図１８】部材によりフィルムガイド端部に突状部を有する加熱装置からフィルムを取った時の斜視図。
【図１９】上方に突状部を有する端部キャップの斜視図。
【図２０】上方に突状部を有する端部キャップを装着した加熱装置からフィルムを取った時の斜視図。
【図２１】上流側に突状部を有する端部キャップの斜視図。
【図２２】ステー端部上方に突状部を有する加熱装置からフィルムを取った時の図。
【図２３】加熱装置のその他の構成を示す概略構成図。
【図２４】画像形成装置の構成を示す概略構成図。
【図２５】従来の加熱装置を示す概略構成図。
【図２６】加熱体の一部を切り欠いて示した平面図。
【手続補正１９】
【補正対象書類名】図面
【補正対象項目名】図７
【補正方法】変更
【補正の内容】
【図７】
2001185328.tif 000001
【手続補正２０】
【補正対象書類名】図面
【補正対象項目名】図９
【補正方法】変更
【補正の内容】
【図９】
2001185328.tif 000002
【手続補正２１】
【補正対象書類名】図面
【補正対象項目名】図１０
【補正方法】変更
【補正の内容】
【図１０】
2001185328.tif 000003
【手続補正２２】
【補正対象書類名】図面
【補正対象項目名】図１１
【補正方法】変更
【補正の内容】
【図１１】
2001185328.tif 000004
【手続補正２３】
【補正対象書類名】図面
【補正対象項目名】図１２
【補正方法】変更
【補正の内容】
【図１２】
2001185328.tif 000005
【手続補正２４】
【補正対象書類名】図面
【補正対象項目名】図１３
【補正方法】変更
【補正の内容】
【図１３】
2001185328.tif 000006
【手続補正２５】
【補正対象書類名】図面
【補正対象項目名】図１４
【補正方法】変更
【補正の内容】
【図１４】
2001185328.tif 000007
【手続補正２６】
【補正対象書類名】図面
【補正対象項目名】図１５
【補正方法】変更
【補正の内容】
【図１５】
2001185328.tif 000008
【手続補正２７】
【補正対象書類名】図面
【補正対象項目名】図１６
【補正方法】変更
【補正の内容】
【図１６】
2001185328.tif 000009
【手続補正２８】
【補正対象書類名】図面
【補正対象項目名】図１７
【補正方法】変更
【補正の内容】
【図１７】
2001185328.tif 000010
【手続補正２９】
【補正対象書類名】図面
【補正対象項目名】図１８
【補正方法】変更
【補正の内容】
【図１８】
2001185328.tif 000011
【手続補正３０】
【補正対象書類名】図面
【補正対象項目名】図１９
【補正方法】変更
【補正の内容】
【図１９】
2001185328.tif 000012
【手続補正３１】
【補正対象書類名】図面
【補正対象項目名】図２０
【補正方法】変更
【補正の内容】
【図２０】
2001185328.tif 000013
【手続補正３２】
【補正対象書類名】図面
【補正対象項目名】図２１
【補正方法】変更
【補正の内容】
【図２１】
2001185328.tif 000014
【手続補正３３】
【補正対象書類名】図面
【補正対象項目名】図２２
【補正方法】変更
【補正の内容】
【図２２】
2001185328.tif 000015
【手続補正３４】
【補正対象書類名】図面
【補正対象項目名】図２３
【補正方法】変更
【補正の内容】
【図２３】
2001185328.tif 000016
【手続補正３５】
【補正対象書類名】図面
【補正対象項目名】図２５
【補正方法】変更
【補正の内容】
【図２５】
2001185328.tif 000017